(57)【要約】【課題】測色装置と被測定物との間の位置決めを容易にして、測色状態の再現性を高めた測色用治具を提供する。【解決手段】測定部Ａ１を被測定物Ｗに対向配置して被測定物Ｗで反射した反射光Ｌを測定部Ａ１で検出することにより被測定物Ｗの色彩を測定する測色装置Ａとともに用いられる測色用治具１であって、測色装置Ａの装置本体部Ａ２に対し着脱可能な装着部２を有する本体３と、本体３に設けられ被測定物Ｗを保持する保持部４と、を備える。【選択図】図２
2010122098.tif 000002
【特許請求の範囲】
【請求項１】
測定部を被測定物に対向配置して該被測定物で反射した反射光を前記測定部で検出することにより前記被測定物の色彩を測定する測色装置とともに用いられる測色用治具であって、
前記測色装置に対し着脱可能な装着部を有する本体と、
該本体に設けられ前記被測定物を保持する保持部と、
を備えることを特徴とする測色用治具。
【請求項２】
請求項１に記載の測色用治具において、
前記本体は、少なくとも前記被測定物及び前記測色装置の前記測定部を覆う部分が遮光部材からなることを特徴とする測色用治具。
【請求項３】
請求項２に記載の測色用治具において、
前記本体は、前記測色装置を嵌合させる前記装着部を構成する嵌合部及び前記保持部が設けられた基台部と、前記保持部及び前記測色装置の少なくとも前記測定部を覆い前記基台部に装着されるカバー部と、を備え、
前記嵌合部は、この嵌合部に前記測色装置を嵌合させた時に、前記測定部が前記被測定物に対して定められた位置に置かれるように配置されていることを特徴とする測色用治具。
【請求項４】
請求項２に記載の測色用治具において、
前記装着部の先端には、前記測色装置の前記測定部に対し着脱可能な第１の開口が形成されることを特徴とする測色用治具。
【請求項５】
請求項４に記載の測色用治具において、
前記本体は、
前記被測定物を着脱可能とする第２の開口が形成され、前記被測定物を収容する収容部と、
前記第２の開口を開閉可能とする蓋体部と、
を備えてなることを特徴とする測色用治具。
【請求項６】
請求項４又は請求項５に記載の測色用治具において、
前記装着部には、前記保持部と前記測色装置の前記測定部とが互いに近づくのを規制するストッパー部材が設けられることを特徴とする測色用治具。
【請求項７】
請求項４から請求項６のいずれかに記載の測色用治具において、
前記測色装置の前記測定部は、色彩検出面を有する先端に向かうに従って、前記色彩検出面を中に挟む一方の外面とこの外面の反対側の外面とが互いに漸次接近する一対の傾斜面を有する構成とされ、
前記装着部は、前記第１の開口の位置する先端に向けて、少なくともその対向する一対の内面が前記一対の傾斜面に当接して嵌合するために前記一対の内面が漸次離間するように構成されることを特徴とする測色用治具。
【請求項８】
請求項４から請求項７のいずれかに記載の測色用治具において、
前記装着部が前記測色装置の前記測定部から離間するのを防止する係止部を備えることを特徴とする測色用治具。
【請求項９】
請求項１から請求項８のいずれかに記載の測色用治具において、
前記保持部は、前記測色装置の前記測定部に対して移動可能に構成されていることを特徴とする測色用治具。
【発明の詳細な説明】
【技術分野】
【０００１】
本発明は、測色装置とともに用いられる測色用治具に関する。
【背景技術】
【０００２】
従来、被測定物で反射した反射光を測色装置で測定し被測定物の色彩を測定する方法が知られている。被測定物が例えば義歯の場合には、特許文献１に示すように、使用者が測色装置のハンドル部を持ち、測色装置の探査ヘッド（測定部）を人工の顎模型に固定された義歯にかざした状態で測色が行われている。
【特許文献１】米国特許第６，５４０，５１３号公報
【発明の開示】
【発明が解決しようとする課題】
【０００３】
しかしながら、上記の方法では、測色を行う毎に、又は測色装置の使用者により、被測定物に対する測色装置の上下左右及び前後の位置や向きがずれてしまうため、測色状態の再現性が低いという問題が生じていた。
【０００４】
本発明は、このような問題点に鑑みてなされたものであって、測色装置と被測定物との間の位置決めを容易にして測色状態の再現性を高めた測色用治具を提供するものである。
【課題を解決するための手段】
【０００５】
上記課題を解決するために、この発明は以下の手段を提案している。
本発明の測色用治具は、測定部を被測定物に対向配置して該被測定物で反射した反射光を前記測定部で検出することにより前記被測定物の色彩を測定する測色装置とともに用いられる測色用治具あって、前記測色装置に対し着脱可能な装着部を有する本体と、該本体に設けられ前記被測定物を保持する保持部と、を備えることを特徴としている。
【０００６】
この発明によれば、装着部により測色用治具が測色装置に装着されるとともに被測定物は本体に設けられた保持部に保持されるので、測色用治具で測色装置と被測定物との位置決めを容易に行うことができる。また、装着部により測色用治具が測色装置に対し着脱可能となっている。このため、測色装置により被測定物の測色を繰返し行うことが容易となり、測色装置による被測定物の測色状態の再現性を高めることができる。
【０００７】
また、上記の測色用治具において、前記本体は、少なくとも前記被測定物及び前記測色装置の前記測定部を覆う部分が遮光部材からなることがより好ましい。
この発明によれば、外部からの光が本体を透過して測定部に入射することを防止し、測色装置による測色をより再現性を高めて行うことができる。
【０００８】
また、上記の測色用治具において、前記本体は、前記測色装置を嵌合させる前記装着部を構成する嵌合部及び前記保持部が設けられた基台部と、前記保持部及び前記測色装置の少なくとも前記測定部を覆い前記基台部に装着されるカバー部と、を備え、前記嵌合部は、この嵌合部に前記測色装置を嵌合させた時に、前記測定部が前記被測定物に対して定められた位置に置かれるように配置されていることがより好ましい。
この発明によれば、基台部において、保持部に被測定物を保持させるとともに嵌合部に測色装置を嵌合させることにより、測定部が被測定物に対して定められた位置に置かれるように配置させることができる。従って、測色装置と被測定物とを位置決めした状態で外部からの光の影響を抑えて測色することができる。
【０００９】
また、上記の測色用治具において、前記装着部の先端には、前記測色装置の前記測定部に対し着脱可能な第１の開口が形成されることがより好ましい。
この発明によれば、測色用治具は装着部の先端に形成された第１の開口により測色装置の測定部に着脱される。従って、本体の大きさを小さくすることが可能となり、測色用治具を全体としてコンパクトに構成することができる。
【００１０】
また、上記の測色用治具において、前記本体は、前記被測定物を着脱可能とする第２の開口が形成され、前記被測定物を収容する収容部と、前記第２の開口を開閉可能とする蓋体部と、を備えてなることがより好ましい。
この発明によれば、収容部に形成された第２の開口を通して、保持部に対して被測定物を容易に装着及び離脱させることができる。また、第２の開口を開閉可能とする蓋体部を備えているので、外部からの光を遮断して空間部に配置した被測定物の測色を行うことができる。
【００１１】
また、上記の測色用治具において、前記装着部には、前記保持部と前記測色装置の前記測定部とが互いに近づくのを規制するストッパー部材が設けられることがより好ましい。
この発明によれば、ストッパー部材により保持部と測色装置の測定部とが接近する方向の位置決めをすることができる。
【００１２】
また、上記の測色用治具において、前記測色装置の前記測定部は、色彩検出面を有する先端に向かうに従って、前記色彩検出面を中に挟む一方の外面とこの外面の反対側の外面とが互いに漸次接近する一対の傾斜面を有する構成とされ、前記装着部は、前記第１の開口の位置する先端に向けて、少なくともその対向する一対の内面が前記一対の傾斜面に当接して嵌合するために前記一対の内面が漸次離間するように構成されることがより好ましい。
この発明によれば、測定部の一対の傾斜面と装着部の一対の内面とを、測定部と装着部とが互いに接近するように嵌合させることで、測定部の一対の傾斜面と装着部の一対の内面とを互いに当接させて、測色装置と測色用治具とを互いに位置決めすることができる。このため、測定部の一対の傾斜面と装着部の一対の内面との間に隙間が生じることを防止し、外部からの光を遮断することができる。
【００１３】
また、上記の測色用治具において、前記装着部が前記測色装置の前記測定部から離間するのを防止する係止部を備えることがより好ましい。
この発明によれば、測色装置の測定部に測色用治具の装着部を装着して使用する間に測色用治具が測色装置から脱落するのを防止することができる。
【００１４】
また、上記の測色用治具において、前記保持部は、前記測色装置の前記測定部に対して移動可能に構成されていることがより好ましい。
この発明によれば、保持部と測色装置の測定部との位置合わせを容易に行うことができる。
【発明の効果】
【００１５】
本発明の測色用治具によれば、測色装置と被測定物との間の位置決めを容易にして測色状態の再現性を高めることができる。
【発明を実施するための最良の形態】
【００１６】
（第１実施形態）
以下、本発明に係る測色用治具の第１実施形態を、図１及び図２を参照しながら説明する。以下の実施形態では、測色用治具が被測定物としてクラウン等の補綴物の色彩を測色する場合を例にとって説明する。ここで、補綴物としては、クラウンのほか、人工歯、義歯（入れ歯、デンチャー）、歯冠（差し歯）、インレー等が挙げられる。また、被測定物は補綴物に限ることなく、例えば、皮膚、頭髪、内臓等の生体組織や、塗板、塗料、印刷物等であっても良い。
【００１７】
図１及び図２に示すように、本実施形態の測色用治具１は、測定部Ａ１を補綴物Ｗに対向配置して、補綴物Ｗで反射した反射光Ｌを測定部Ａ１で検出することにより補綴物Ｗの色彩を測定する測色装置Ａとともに用いられる。
この測色用治具１は、測色装置Ａに対し着脱可能な嵌合部（装着部）２を有する本体３と、本体３に設けられ補綴物Ｗを保持する保持部４と、を備えている。
本体３は、測色装置Ａを嵌合させる嵌合部２及び保持部４が設けられた基台部６と、保持部４及び測色装置Ａの測定部Ａ１を覆い基台部６に装着されるカバー部７と、を備えている。
そして、通常の使用時においては、基台部６において嵌合部２と保持部４とが備えられている天面６ａが水平面と平行になるように配置される。説明の便宜上、この基台部６の天面６ａ上において、嵌合部２から保持部４に向かう方向をＹ方向、Ｙ方向に直交する方向をＸ方向と定義し、Ｘ方向及びＹ方向にそれぞれ直交する鉛直方向をＺ方向とする。
【００１８】
本実施形態では、嵌合部２は、直方体の天面にその直方体より一回り小さな直方体を重ねた側面視で凸形に突出した形状に形成されており、基台部６の天面６ａ上のＹ方向の一端側に配設されている。
【００１９】
測色装置Ａは、略直方体状の装置本体部Ａ２と、装置本体部Ａ２の側面の一端からその側面に直交する方向に突出して略箱状に形成された測定部Ａ１と、を有する。また、測色装置Ａには、不図示の投光部が備えられており、投光部から発せられ補綴物Ｗで反射した反射光Ｌを、測定部Ａ１の先端に設けられた色彩検出面Ａ３で検出することができるように構成されている。また、装置本体部Ａ２において、測定部Ａ１が設けられている面と反対側の面には、色彩検出面Ａ３で検出した画像を表示する表示部Ａ４と、測色装置Ａを操作する複数のボタンからなる操作部Ａ５と、が設けられている。
この装置本体部Ａ２の底面には嵌合部２と対応する凹形状の凹部Ａ６が形成されている。そして、基台部６の嵌合部２と測色装置Ａの凹部Ａ６とを嵌合させることにより、測色装置Ａを基台部６に固定することが可能となっている。
なお、表示部Ａ４に表示される画像により、後述するように、保持部４により補綴物Ｗの中心部が測定部Ａ１の光軸Ｃ上に位置するように調整を行うこととしてもよい。
【００２０】
カバー部７は、底面に開口を有する箱状に形成され、その側面には、測色装置Ａの装置本体部Ａ２に対応する形状である切欠き７ａが形成されている。このカバー部７と基台部６は、例えば黒色の樹脂等の遮光部材により形成されている。そして、嵌合部２に測色装置Ａを固定した基台部６にカバー部７を装着することで、基台部６及びカバー部７を例えば室内用の照明光や散乱光等の外部の光が本体３内に透過するのを防止するだけでなく、基台部６とカバー部７との間、カバー部７の切欠き７ａと測色装置Ａの装置本体部Ａ２との間等から前述の光が侵入するのを防止する。
なお、本実施形態においては、測色装置Ａが固定された基台部６にカバー部７を装着しても、測色装置Ａの表示部Ａ４と操作部Ａ５はカバー部７で覆われないように構成されている。
【００２１】
保持部４は、基台部６の天面６ａ上のＹ方向の他端側に一端が固定されＺ方向に立設する棒状の軸部材９を有する。そして、補綴物Ｗは、その下部に取付けられた例えばワックス等の固定手段Ｂにより軸部材９の他端に固定される。
ここで、軸部材９は、他端に固定された補綴物Ｗが、測色装置Ａの測定部Ａ１に対向するように配置されている。具体的には、軸部材９に標準的な大きさの補綴物Ｗを固定させた場合に、その補綴物Ｗの中心部が測定部Ａ１に設けられた撮像光学系（不図示）の光軸Ｃ上に位置するとともに、補綴物Ｗの表面がその撮像光学系の焦点面に位置するように、軸部材９が配置されていることが好ましい。
なお、保持部４は、基台部６の天面６ａと軸部材９との間に、その天面１０ａがＸ方向、Ｙ方向及びＺ方向に位置調整可能とされたＸＹＺステージ１０を有することとしてもよい。この場合、軸部材９は、天面１０ａ上に配設されることとなる。これにより、補綴物Ｗが固定される軸部材９の他端は、測色装置Ａの測定部Ａ１に対してＸ方向、Ｙ方向及びＺ方向に移動可能となる。
【００２２】
次に、以上のように構成された測色用治具１と測色装置Ａで、補綴物Ｗを測色する手順について説明する。
まず、図１に示す状態から、保持部４の軸部材９の他端にワックス等の固定手段Ｂにより測定対象となる補綴物Ｗを固定する。
次に、操作部Ａ５を操作して測色装置Ａを起動し、不図示のキャリブレーション装置により検出される色彩の状態を予め調整しておく。そして、測色装置Ａの凹部Ａ６を基台部６の嵌合部２に嵌合させることにより測色装置Ａを基台部６に固定する。このとき、必要に応じて、表示部Ａ４に表示される画像を参考にしながらＸＹＺステージ１０を操作して、補綴物Ｗの中心部が測定部の光軸Ｃ上に位置するようにＸ方向及びＺ方向の位置を調整するとともに、測色装置Ａの焦点が補綴物Ｗ上に位置するように色彩検出面Ａ３と補綴物Ｗの中心部とのＹ方向の距離を調整してもよい。
次に、基台部６にカバー部７を装着して、本体３内から外部の光を遮断する。そして、操作部Ａ５を操作して不図示の投光部から補綴物Ｗに向けて光を発し、補綴物Ｗで反射した反射光Ｌを色彩検出面Ａ３で検出する。
検出した色彩データは、例えばＬ*ａ*ｂ*表示系による数値データとして、表示部Ａ４内に表示される。
【００２３】
こうして、本発明の第１実施形態の測色用治具１によれば、嵌合部２により測色用治具１が測色装置Ａに装着されるとともに補綴物Ｗは本体３に設けられた保持部４に保持されるので、測色用治具１で測色装置Ａと補綴物Ｗとの位置決めを容易に行うことができる。また、嵌合部２により測色用治具１が測色装置Ａに対し着脱可能となっている。このため、測色装置Ａにより補綴物Ｗの測色を繰返し行うことが容易となり、測色装置Ａによる補綴物Ｗの測色状態の再現性を高めることができる。
また、本体３は、補綴物Ｗ及び測色装置Ａの測定部Ａ１を覆う部分が遮光部材からなるので、外部からの光が本体３を透過して測定部に入射することを防止し、測色装置Ａによる測色をより再現性を高めて行うことができる。
【００２４】
また、基台部６において、保持部４に補綴物Ｗを保持させるとともに嵌合部２に測色装置Ａを嵌合させることにより、測定部Ａ１が補綴物Ｗに対して定められた位置に置かれるように配置させることができる。従って、測色装置Ａと補綴物Ｗとを位置決めした状態で外部からの光の影響を抑えて測色することができる。
また、保持部４は、測色装置Ａの測定部Ａ１に対してＸ方向、Ｙ方向及びＺ方向に移動可能に構成されているので、保持部４と測定部Ａ１との位置合わせを容易に行うことができる。
【００２５】
なお、上記実施形態では、カバー部７が測色装置Ａに関して測定部Ａ１と装置本体部Ａ２の一部のみを覆い、表示部Ａ４と操作部Ａ５はカバー部７で覆われないように構成した。しかし、カバー部７で測色装置Ａの全体を覆い、測色装置Ａを基台部６に設けられたコネクタ６ｂ等を介して不図示のコンピュータに電気的に接続させることにより、コンピュータで遠隔から測色装置Ａを操作しても良い。
また、上記実施形態では、カバー部７を基台部６から分離できるように構成したが、カバー部７の下方の一辺回りにカバー部７が回転可能になるように基台部６にカバー部７をヒンジ等で取付けても良い。
また、上記実施形態では、測色装置Ａの装置本体部Ａ２の底面に嵌合部２と同形状で下方に突出する凸部を形成するとともに、基台部６に嵌合部２に代えて測色装置Ａの凸部と嵌合する凹部を形成しても良い。
【００２６】
また、上記実施形態では、基台部６の天面６ａ上に嵌合部２の代わりに図３に示す嵌合部１３を備えてもよい。この嵌合部１３は、略直方体状の形成された凸部であり、天面６ａから上方に離間するのに従って、一方の側面１３ａとこの反対側の側面１３ｂとが漸次接近するように構成されている。この場合、測色装置Ａの装置本体部Ａ２の底面には嵌合部１３と対応する凹形状の凹部Ａ７が形成されることになる。
このように構成することで、嵌合部１３の上面の面積が、凹部Ａ７の開口の面積より小さくなるので、測色装置Ａを嵌合部１３に嵌合する際の作業がスムーズに行える。
また、この場合、測色装置Ａの装置本体部Ａ２の底面に嵌合部１３と同形状で下方に突出する凸部を形成するとともに、基台部６に嵌合部１３に代えて測色装置Ａの凸部と嵌合する凹部を形成しても良い。
【００２７】
また、上記実施形態では、基台部６の天面６ａ上に嵌合部２の代わりに図４に示すように、測色装置Ａの装置本体部Ａ２の底面を取り囲む大きさで上方に突出する嵌合部１４を形成するとともに、嵌合部１４に取り囲まれる部分であって天面６ａの下方に磁石１５を設けても良い。この場合、測色装置Ａの装置本体部Ａ２の底面には、嵌合部１４に装置本体部Ａ２を嵌合させた時に磁石１５と引力を生じるように磁石Ａ８を設けることになる。例えば、磁石１５の天面がＮ極である場合には、磁石Ａ８の底面がＳ極になるように構成する。
【００２８】
（第２実施形態）
次に、本発明に係る第２実施形態について説明するが、前記実施形態と同一の部位には同一の符号を付してその説明は省略し、異なる点についてのみ説明する。
図５及び図６に示すように、本実施形態の測色用治具２１は測色装置Ａとともに用いられる。なお、本実施形態において、測色装置Ａの略箱状に形成された測定部Ａ１は、色彩検出面Ａ３を有する先端に向かうに従って、色彩検出面Ａ３を中に挟む一方の外面Ａ１１とこの外面Ａ１１の反対側の外面Ａ１２とが互いに漸次接近する一対の傾斜面を有する構成とされている。そして、測定部Ａ１の先端と後端とをを結ぶ線に直交する平面、すなわち測定部Ａ１の光軸Ｃに直交する平面で測定部Ａ１を切断した場合には、その断面は矩形形状となる。
また、測定部Ａ１の色彩検出面Ａ３を中に挟む残りの２つの外面Ａ１３、Ａ１４は互いに平行となるように形成され、外面Ａ１３、Ａ１４には後述する係止部２７が係止する直方体状の一対の突出部Ａ１６が形成されている。
【００２９】
この測色用治具２１は、測色装置Ａに対し着脱可能な装着部２２を有する本体２３と、本体２３に設けられ補綴物Ｗを保持する保持部２４と、を備えている。
本実施形態では、本体２３と装着部２２とは全体として一体となるように形成され、略箱状の形状の後述するストッパー部材２６から一方の側が先端の面に第１の開口２２ａが形成された装着部２２、他方の側が本体２３となっている。
装着部２２は、第１の開口２２ａの位置する先端に向けて、対向する一対の内面２２ｂ、２２ｃが外面Ａ１１、Ａ１２で構成された一対の傾斜面に当接して嵌合するために一対の内面２２ｂ、２２ｃが漸次離間するように構成されている。そして、装着部２２の残りの２つの内面２２ｄ、２２ｅは、測定部Ａ１の２つの外面Ａ１３、Ａ１４を内側に挟んで当接するように、互いに平行になるように配置されるか、漸次離間するようにそれぞれ形成されている。
【００３０】
装着部２２の内面２２ｃには、装着部２２と本体２３との境界に沿って内面２２ｃの全幅にわたって延び内側に突出するストッパー部材２６が設けられている。このストッパー部材２６に測定部Ａ１の色彩検出面Ａ３を当接させることにより、保持部２４と測色装置Ａの測定部Ａ１とが互いに必要以上に近接するのが規制され、保持部２４に固定される補綴物Ｗと色彩検出面Ａ３との測定部Ａ１の光軸Ｃ方向の距離が調節されるようになっている。
さらに、装着部２２の内面２２ｄ、２２ｅを有する壁体の先端には、Ｕ字型に形成され突出部Ａ１６に係止される係止部２７がそれぞれ設けられている。
本体２３の４つの内面２３ｂ、２３ｃ、２３ｄ、２３ｅは、装着部２２の内面２２ｂ、２２ｃ、２２ｄ、２２ｅと同一面上に位置するようにそれぞれ形成されている。この本体２３及び前述の装着部２２は、遮光部材で形成されている。
本実施形態では、保持部２４は棒状に形成され、その一端が内面２３ｃに固定され、他端にはワックス等の固定手段Ｂにより補綴物Ｗが固定される。そして、測色用治具２１を測色装置Ａの測定部Ａ１に装着した時に、補綴物Ｗが通常の大きさの場合には、補綴物Ｗは測定部Ａ１の光軸Ｃ上に位置するとともに測色装置Ａの焦点が補綴物Ｗ上に位置するように、保持部２４の他端は本体２３内のほぼ中央に位置するように設定されている。
【００３１】
次に、以上のように構成された測色用治具２１と測色装置Ａで、補綴物Ｗを測色する手順について説明する。なお、前記実施形態と同一の手順については説明を簡略し、異なる点に重点をおいて説明する。
まず、保持部２４の他端にワックス等の固定手段Ｂにより補綴物Ｗを固定する。この時、補綴物Ｗが測色用治具２１に装着された測定部Ａ１の光軸Ｃ上に位置するとともに測色装置Ａの焦点が補綴物Ｗ上に位置するように調整しておく。
次に、測色装置Ａを起動して色彩の調整を行う。そして、測色装置Ａと測色用治具２１とを測定部Ａ１の光軸Ｃに沿うように移動させ、測定部Ａ１の外面Ａ１１、Ａ１２、Ａ１３、Ａ１４が装着部２２の内面２２ｂ、２２ｃ、２２ｄ、２２ｅとそれぞれ当接するように測色用治具２１を測色装置Ａに装着させるとともに、図６に示すように、測定部Ａ１の色彩検出面Ａ３をストッパー部材２６に当接させる。これにより、測色装置Ａの焦点が補綴物Ｗ上に位置するように設定され、本体２３内から外部の光が遮断される。
さらに、測色用治具２１の係止部２７を測定部Ａ１の突出部Ａ１６の側面Ａ１７にそれぞれ係止させる。そして、操作部Ａ５を操作して不図示の投光部から補綴物Ｗに向けて光を発し、補綴物Ｗで反射した反射光を色彩検出面Ａ３で検出する。
【００３２】
こうして、本発明の第１実施形態の測色用治具２１によれば、測色用治具２１は装着部２２の先端に形成された第１の開口２２ａにより測色装置Ａの測定部Ａ１に着脱される。従って、本体２３の大きさを小さくすることが可能となり、測色用治具２１を全体としてコンパクトに構成することができる。
また、装着部２２の内面２２ｃにはストッパー部材２６が設けられているので、保持部２４と測色装置Ａの測定部Ａ１とが光軸Ｃに沿って接近する方向の位置決めをすることができる。
【００３３】
また、測定部Ａ１は一対の傾斜面である外面Ａ１１、Ａ１２を有し、装着部２２は外面Ａ１１、Ａ１２にそれぞれ当接する一対の内面２２ｂ、２２ｃを有している。このため、外面Ａ１１、Ａ１２と内面２２ｂ、２２ｃとを、測定部Ａ１と装着部２２とが互いに接近するように嵌合させることで、外面Ａ１１、Ａ１２と内面２２ｂ、２２ｃとを互いに当接させて測色装置Ａと測色用治具２１とを互いに位置決めすることができる。従って、外面Ａ１１、Ａ１２と内面２２ｂ、２２ｃとの間に隙間が生じることを防止し、外部からの光を遮断することができる。
また、装着部２２には係止部２７が設けられ、測定部Ａ１には突出部Ａ１６が形成されているので、装着部２２が測定部Ａ１から離間するのを抑え、測色用治具２１が測色装置Ａから脱落するのを防止することができる。
【００３４】
なお、上記実施形態では、保持部２４にＸＹＺステージ等を設け、測定部Ａ１に対する補綴物Ｗの位置を調整可能としても良い。
また、上記実施形態では、ストッパー部材２６が内面２２ｃの全幅にわたって延びるとした。しかし、保持部２４と測色装置Ａの測定部Ａ１とが互いに必要以上に近接するのが規制される形状であれば、ストッパー部材は内面２２ｃの一部に設けられていても良い。
【００３５】
また、上記実施形態では、図７に示すように、測色用治具３１の本体３３は、補綴物Ｗを着脱可能とする第２の開口３４ａが形成され、補綴物Ｗを収容する収容部３４と、第２の開口３４ａを開閉可能とする蓋体部３５と、を備えるように構成してもよい。この場合、蓋体部３５は、蓋体部３５の一端に取付けられたヒンジ部３６により収容部３４に対して回転可能に取付けられている。
このように構成することで、収容部３４に形成された第２の開口３４ａを通して、保持部２４に対して補綴物Ｗを容易に装着及び離脱させることができる。また、第２の開口３４ａを開閉可能とする蓋体部３５を備えているので、外部からの光を遮断して収容部３４に配置した補綴物Ｗの測色を行うことができる。
【００３６】
また、上記実施形態では、測定部Ａ１の一対の傾斜面である外面Ａ１１、Ａ１２と装着部２２の外面Ａ１１、Ａ１２にそれぞれ当接する一対の内面２２ｂ、２２ｃにより、測色装置Ａと測色用治具２１と光軸Ｃ方向の位置決めは可能になる。このため、色装置Ａの突出部Ａ１６と測色用治具２１の係止部２７は設けられなくても良い。
また、上記実施形態では、測定部Ａ１を光軸Ｃに直交する平面で切断した場合の断面が矩形形状になる場合について説明した。しかし、測定部Ａ１の断面の形状は矩形形状に限ることなく、三角形以上の多角形や、円形・楕円形等でも良い。
【００３７】
また、上記実施形態では、装着部２２の一対の内面２２ｂ、２２ｃが第１の開口２２ａの位置する先端に向けて漸次離間するように構成した。しかし、測定部Ａ１の外面Ａ１３、Ａ１４も色彩検出面Ａ３を有する先端に向かうに従って互いに漸次接近する一対の傾斜面とするとともに、装着部２２の残りの一対の内面２２ｄ、２２ｅも第１の開口２２ａの位置する先端に向けて漸次離間するように構成してもよい。このように構成することで、本体側の第１の開口２２ａの面積が、測定部Ａ１の開口の面積より大きくなるので、測色用治具２１を測色装置Ａに装着させる作業がスムーズに行える。
また、上記実施形態では、装着部２２の一対の内面２２ｂ、２２ｃ及び測定部Ａ１の一対の外面Ａ１１、Ａ１２をそれぞれが互いに平行な面であるように構成しても良い。測定部Ａ１の色彩検出面Ａ３をストッパー部材２６等に当接させることにより、測色装置Ａとと測色用治具２１の光軸Ｃ方向の位置決めを行うことができるからである。
【００３８】
以上、本発明の第１実施形態及び第２実施形態について図面を参照して詳述したが、具体的な構成はこの実施形態に限られるものではなく、本発明の要旨を逸脱しない範囲の構成の変更等も含まれる。
例えば、上記第１実施形態及び第２実施形態では、本体は遮光部材からなるとした。しかし、色彩検出面Ａ３に外光が照射されても、測定された色彩の測定値を外光補正すれば外光の影響を受けていない場合の色彩の測定値を求めることができる。このため、本体に遮光部材を用いなくても良いし、補綴物Ｗ及び測色装置Ａの測定部Ａ１を覆わずに補綴物Ｗの色彩を測定しても良い。
【図面の簡単な説明】
【００３９】
【図１】本発明の第１実施形態の測色用治具と測色装置の分解斜視図である。
【図２】同測色用治具が測色装置とともに用いられている時の要部断面図である。
【図３】本発明の第１実施形態の変形例の測色用治具と測色装置の分解斜視図である。
【図４】本発明の第１実施形態の変形例の測色用治具と測色装置の分解斜視図である。
【図５】本発明の第２実施形態の測色用治具と測色装置の一部を破断した斜視図である。
【図６】同測色用治具が測色装置とともに用いられている時の要部断面図である。
【図７】本発明の第２実施形態の変形例の測色用治具が測色装置とともに用いられている時の要部断面図である。
【符号の説明】
【００４０】
１、２１、３１  測色用治具
２    嵌合部（装着部）
３    本体
４    保持部
６    基台部
７    カバー部
２２  装着部
２２ａ  第１の開口
２２ｂ、２２ｃ  内面
２６  ストッパー部材
２７  係止部
３４  収容部
３４ａ  第２の開口
３５  蓋体部
Ａ１１、Ａ１２  外面
Ｌ    反射光
Ｗ    補綴物（被測定物）
【図１】
2010122098.tif 000003
【図２】
2010122098.tif 000004
【図３】
2010122098.tif 000005
【図４】
2010122098.tif 000006
【図５】
2010122098.tif 000007
【図６】
2010122098.tif 000008
【図７】
2010122098.tif 000009